(57)【要約】【課題】無線ＡＶ伝送を行う際に、グループ単位で複数のシンク機器を連動して動作させ、制御コマンドの伝送量を必要最小限にできる無線伝送システムを提供する。【解決手段】無線伝送システムは、ＡＶコンテンツを無線送信するブリッジ機器１と、無線送信されたＡＶコンテンツを再生する複数の無線シンク機器５，６とを備える。グループに属する無線シンク機器のいずれか１つを代表無線シンク機器とし、この代表無線シンク機器は、この代表無線シンク機器が属するグループを代表して、コンテンツ送信装置または他のグループの代表無線シンク機器と無線通信を行う。代表無線シンク機器以外の他の無線シンク機器は、グループ識別ＩＤテーブルに、自身の機器ＩＤ、グループ識別ＩＤ、前記代表無線シンク機器の機器ＩＤのみを保持している。【選択図】図４
2010259119.tif 000002
【特許請求の範囲】
【請求項１】
映像及び／又は音声を含むＡＶコンテンツを無線送信するコンテンツ送信装置と、該無線送信されたＡＶコンテンツを受信する複数のシンク機器とを備え、該複数のシンク機器の少なくとも１つが無線シンク機器で構成された無線伝送システムであって、
前記コンテンツ送信装置は、前記複数のシンク機器で構成されるグループを識別するためのグループ識別ＩＤを記憶するグループ識別ＩＤテーブルと、前記複数のシンク機器を制御する制御コマンドに前記グループ識別ＩＤテーブルから抽出されるグループ識別ＩＤを付加するグループ識別ＩＤ付加部と、該グループ識別ＩＤが付加された制御コマンドを無線送信する無線送信部とを備え、
前記無線シンク機器は、前記グループ識別ＩＤテーブルを備え、前記コンテンツ送信装置から無線送信された制御コマンドに自身のグループ識別ＩＤが付加されている場合に、該制御コマンドを受信し、
前記グループに属する無線シンク機器のいずれか１つを代表無線シンク機器とし、該代表無線シンク機器は、該代表無線シンク機器が属するグループを代表して、前記コンテンツ送信装置または他のグループの代表無線シンク機器と無線通信を行い、
前記代表無線シンク機器以外の他の無線シンク機器は、前記グループ識別ＩＤテーブルに、自身の機器ＩＤ、グループ識別ＩＤ、前記代表無線シンク機器の機器ＩＤのみを保持することを特徴とする無線伝送システム。
【発明の詳細な説明】
【技術分野】
【０００１】
本発明は、無線伝送システムに関し、より詳細には、複数のシンク機器をグループ化し、グループ単位でシンク機器の動作を制御可能な無線伝送システムに関する。
【背景技術】
【０００２】
従来、無線ＬＡＮ(Local Area Network)で代表される無線ネットワークが、パーソナルコンピュータ（ＰＣ）などの機器間におけるデータ伝送に用いられている。このような無線ネットワークは、アクセスポイントから各機器に対してマルチキャスト伝送によりデータを伝送するように構築することもできる。
【０００３】
例えば、特許文献１には、無線ネットワーク内の他の通信局と無線通信を行う無線伝送装置が開示されている。この無線伝送装置は、無線信号の送信及び受信を行う無線処理手段と、周囲の通信局からの管理情報に基づいて、上記無線処理手段で受信した所定のフレーム周期を設定すると共に、その設定したフレーム周期内の所定の位置を管理情報伝送領域とし、この管理情報伝送領域に複数のスロットを規定し、各通信局がそのスロットの１つで管理情報を送信させると共に、予めそのスロットの一部を新規参入スロットと規定し、所定の新規参入スロット位置での特定の信号を判別したとき、この特定の信号の送信元を無線ネットワークに参入させる処理を行う制御手段とを備える。
【０００４】
無線を利用してＡＶ（Audio Visual）コンテンツの伝送を行う場合、上記のようにマルチキャスト伝送により複数の機器にＡＶコンテンツを同時に配信することが可能となる。ＡＶコンテンツの配信を受ける側の機器（これをシンク機器という）は、テレビジョン装置（テレビ）等のように表示装置とスピーカとが一体になったものだけではなく、テレビと複数のスピーカ（例えば、５．１ｃｈサラウンドシステムなど）とを組み合わせて利用することが可能となる。このようなマルチキャスト伝送による利用形態は、従来のＨＤＭＩ（High Definition Multimedia Interface）などの有線ＡＶ伝送方式では難しかったため、今後無線を利用したＡＶシステムが普及していくものと考えられる。
【先行技術文献】
【特許文献】
【０００５】
【特許文献１】特許第４１９２３２８号公報
【発明の概要】
【発明が解決しようとする課題】
【０００６】
ここで、テレビとスピーカなどの複数のシンク機器が互いに無線で接続されている無線伝送システムにおいて、音量などを制御する場合に、無線接続された複数のシンク機器を１つのセットとみなし、これらが連動して動作する必要がある。例えば、テレビに付属のリモコン装置で音量を上下させたときに、テレビとセットとなる複数のスピーカの音量が同時に変化する必要がある。このため、テレビは、音量を制御するためのコマンドを、セットとなる複数のスピーカそれぞれに対して無線伝送しけければならない。また、映像出力可能なＳＴＢ(Set Top Box)やレコーダなどのソース機器を複数のシンク機器に無線接続した場合にも、ソース機器は複数のシンク機器それぞれに対して制御コマンドを無線送信しなければならない。
【０００７】
しかしながら、無線伝送の場合、有線伝送の場合と比較して、伝送帯域が狭いために、制御コマンドの伝送量が増加すると、伝送時間が長くなったり、各シンク機器（例えば、テレビと複数のスピーカ）での制御コマンドの到着タイミングにバラツキが発生するなどの問題がある。このため、制御コマンドの伝送量は必要最小限にすることが望ましい。
【０００８】
また、既存のＨＤＭＩなどの有線伝送方式と、上記の無線伝送方式とを混在させてシステムを構築することも考えられるが、このような混在システムにおいて、音量制御などの制御コマンドを送る際に、有線と無線では伝送帯域が異なるため、有線では問題のない伝送量であっても、無線では伝送帯域が不足して通信エラー等を発生する可能性がある。このため、有線と無線の混在システムにおいても、制御コマンドを必要最小限にする必要がある。
【０００９】
このような問題に対して、従来の無線伝送システムでは、複数のシンク機器を連動して動作させる際に、前述したように、動作対象のシンク機器それぞれに対して個別に制御コマンドを送っており、制御コマンドの伝送量を必要最小限にすることはできない。このことは特許文献１に記載の技術であっても同様であり、この特許文献１に記載の技術は、既存の無線ネットワークに新規の通信局（受信機）を参入させるための技術であって、このような問題を解決するものではない。
【００１０】
本発明は、上述のごとき実情に鑑みてなされたものであり、無線ＡＶ伝送を行う際に、グループ単位で複数のシンク機器を連動して動作させ、制御コマンドの伝送量を必要最小限にできる無線伝送システムを提供すること、を目的とする。
【課題を解決するための手段】
【００１１】
上記課題を解決するために、本発明の第１の技術手段は、映像及び／又は音声を含むＡＶコンテンツを無線送信するコンテンツ送信装置と、該無線送信されたＡＶコンテンツを受信する複数のシンク機器とを備え、該複数のシンク機器の少なくとも１つが無線シンク機器で構成された無線伝送システムであって、前記コンテンツ送信装置は、前記複数のシンク機器で構成されるグループを識別するためのグループ識別ＩＤを記憶するグループ識別ＩＤテーブルと、前記複数のシンク機器を制御する制御コマンドに前記グループ識別ＩＤテーブルから抽出されるグループ識別ＩＤを付加するグループ識別ＩＤ付加部と、該グループ識別ＩＤが付加された制御コマンドを無線送信する無線送信部とを備え、前記無線シンク機器は、前記グループ識別ＩＤテーブルを備え、前記コンテンツ送信装置から無線送信された制御コマンドに自身のグループ識別ＩＤが付加されている場合に、該制御コマンドを受信し、前記グループに属する無線シンク機器のいずれか１つを代表無線シンク機器とし、該代表無線シンク機器は、該代表無線シンク機器が属するグループを代表して、前記コンテンツ送信装置または他のグループの代表無線シンク機器と無線通信を行い、前記代表無線シンク機器以外の他の無線シンク機器は、前記グループ識別ＩＤテーブルに、自身の機器ＩＤ、グループ識別ＩＤ、前記代表無線シンク機器の機器ＩＤのみを保持することを特徴としたものである。
【発明の効果】
【００１２】
本発明によれば、無線ＡＶ伝送を行う際に、グループ単位で複数のシンク機器を連動して動作させ、制御コマンドの伝送量を必要最小限にすることができ、各シンク機器での制御コマンドの到着タイミングにバラツキが発生しなくなるようにすることができる。
【図面の簡単な説明】
【００１３】
【図１】本発明の無線伝送システムを構成する中継機器の一例を示すブロック図である。
【図２】本発明の無線伝送システムを構成するソース機器の一例を示すブロック図である。
【図３】本発明の無線伝送システムを構成するシンク機器の一例を示すブロック図である。
【図４】本発明の第１の実施形態に係る無線伝送システムの構成例を示す図である。
【図５】無線制御コマンドを送信するパケットの構成例を示す図である。
【図６】本発明の第１の実施形態に係る無線伝送システムにおける電源オン時のシーケンスの一例を示す図である。
【図７】図４に示した各テーブルの値と図６のステップとを対応付けて説明するための図である。
【図８】本発明の第１の実施形態に係る無線伝送システムにおける通信手順の一例を示す図である。
【図９】本発明の第１の実施形態に係る無線伝送システムにおける通信手順の他の例を示す図である。
【図１０】本発明の第２の実施形態に係る無線伝送システムの構成例を示す図である。
【図１１】本発明の第２の実施形態に係る無線伝送システムにおける電源オン時のシーケンスの一例を示す図である。
【図１２】本発明の第２の実施形態に係る無線伝送システムにおける通信手順の一例を示す図である。
【図１３】本発明の第２の実施形態に係る無線伝送システムにおける通信手順の他の例を示す図である。
【発明を実施するための形態】
【００１４】
以下、添付図面を参照しながら、本発明の無線伝送システムに係る好適な実施の形態について説明する。なお、以下では、有線インタフェースの例として、ＨＤＭＩ（High Definition Multimedia Interface）・ＣＥＣ（Consumer Electronics Control）を例示して説明するが、これに限定されるものではなく、例えば、ＩＥＥＥ１３９４等の有線インタフェースを適用することもできる。
【００１５】
図１は、本発明の無線伝送システムを構成する中継機器の一例を示すブロック図で、図中、１は中継機器（以下、ブリッジ機器という）を示す。このブリッジ機器１は、有線（ＨＤＭＩ）機器と通信可能に接続するための有線接続部１１と、ブリッジ機器１を制御する制御部１２と、無線機器と通信可能に接続するための無線接続部１３と、有線制御コマンドの一例であるＣＥＣメッセージを送受信するＨＤＭＩ・ＣＥＣドライバ１４と、無線制御コマンドを送受信する無線機器制御ドライバ１５と、ＣＥＣメッセージと無線制御コマンドとを解析し相互に変換する機器制御マネージャ１６と、ＨＤＭＩ機器の論理アドレスと物理アドレスとを対応付けて記憶するＨＤＭＩ機器ＩＤテーブル１７と、無線機器に固有のＩＤと各無線機器が属するグループを識別するためのグループ識別ＩＤとを対応付けて記憶する無線機器ＩＤ／グループ識別ＩＤテーブル１８とを備える。
【００１６】
なお、ブリッジ機器１は、後述の図４と図１０の両方の構成に対応しており、図４の例の場合、有線機器から送信されるＡＶコンテンツを無線機器に送信するように、有線から無線への中継を行い、図１０の例の場合、無線機器から送信されるＡＶコンテンツを有線機器に送信するように、無線から有線への中継を行う。
【００１７】
このブリッジ機器１は、有線接続部１１にＨＤＭＩ機器を有線接続し、無線接続部１３に無線機器を無線接続し、これらＨＤＭＩ機器と無線機器との間で制御コマンド（ＣＥＣメッセージと無線制御コマンド）を相互に変換して通信可能とするものである。なお、ブリッジ機器１とＨＤＭＩ機器とを接続するＨＤＭＩケーブルは、デジタル信号である映像・音声信号を差動方式で伝送するためのＴＭＤＳ(Transition Minimized Differential Signaling)ライン（デジタル信号ライン）と、機器間で共通の制御信号（ＣＥＣメッセージ）を伝送する双方向バスであるＣＥＣラインとを含んでいる。またこの他、ＨＤＭＩケーブルには、ＥＤＩＤ(Extended Display Identification Data)の送信やＨＤＣＰ(High-bandwidth Digital Content Protection system)認証等に利用されるＤＤＣ(Display Data Channel)ラインが含まれる。
【００１８】
ここで、ＣＥＣメッセージは、ＨＤＭＩ規格のＣＥＣプロトコルに基づく機器制御信号である。そして、この機器制御信号を機器間でやり取りすることにより、ＨＤＭＩ機器間で各種の動作制御を実現する。ＣＥＣの場合、ＨＤＭＩ接続された各機器の論理アドレス（機器の種別）と物理アドレス（機器の位置）が取得されるため、この論理アドレスを指定することで所望の機器にＣＥＣメッセージを送信することができる。
【００１９】
以下、ＣＥＣにおける論理アドレスと物理アドレスについて簡単に説明する。
まず、論理アドレスは、ＨＤＭＩ ＣＥＣにおける規格では、機器の種別に応じて複数個扱えることになっており、ＨＤＭＩネットワーク内では唯一名となっている。この論理アドレスはＨＤＭＩ機器の種類に応じて異なっている。例えば、論理アドレス“０”はテレビなどの表示機器、“４”はＢＤプレーヤなどの再生機器、“５”はスピーカやＡＶアンプなどのオーディオ機器を示す。
【００２０】
また、物理アドレスは、ＨＤＭＩネットワーク内では唯一名となっているが、通常、表示機器には物理アドレス（０．０．０．０）が割り当てられる。また、ＨＤＭＩ機器がＨＤＭＩネットワークに追加されたり、切り離されたりすると自動的に調整される。物理アドレスは、表示機器を含む複数階層のアドレスを持ち、同一階層における唯一番号ｎから構成され、（ｎ．ｎ．ｎ．ｎ）形式で表現される。表示機器に直接接続されたＨＤＭＩ機器の階層を第１階層とした場合、この第１階層の機器に接続されたＨＤＭＩ機器が第２階層となり、表示機器から離れるに従って階層番号を増やしていく。そして、上記形式（ｎ．ｎ．ｎ．ｎ）の左端のｎから右に行くに従って階層番号が増えるように表記される。
【００２１】
ＨＤＭＩ機器の場合、このような論理アドレスと物理アドレスを持つために、たとえ複数台のＨＤＭＩ機器がＨＤＭＩネットワークに接続されていても、特定の１台を指定してＣＥＣメッセージを送信することが可能となる。
【００２２】
図１において、有線接続部１１と無線接続部１３とは制御部１２に接続されており、ＨＤＭＩ・ＣＥＣドライバ１４，無線機器制御ドライバ１５，機器制御マネージャ１６，ＨＤＭＩ機器ＩＤテーブル１７，及び無線機器ＩＤ／グループ識別ＩＤテーブル１８は制御部１２の制御下にあるものとする。ＨＤＭＩ・ＣＥＣドライバ１２で受信したＣＥＣメッセージまたは無線機器制御ドライバ１５で受信した無線制御コマンドを機器制御マネージャ１６が受け取る。
【００２３】
機器制御マネージャ１６は、ＣＥＣメッセージを無線制御コマンドに変換し、また、無線制御コマンドをＣＥＣメッセージに変換する。そして、機器制御マネージャ１６は、変換後の無線制御コマンドに対して、無線機器ＩＤ／グループ識別ＩＤテーブル１８に基づいて宛先（機器ＩＤ，グループ識別ＩＤ）を指定し、また、変換後のＣＥＣメッセージに対して、ＨＤＭＩ機器ＩＤテーブル１７に基づいて宛先（論理アドレス）を指定する。
【００２４】
無線接続部１３は、変換後の無線制御コマンドを機器制御マネージャ１６で指定された宛先に無線送信する。有線接続部１１は、変換後のＣＥＣメッセージを機器マネージャ１６で指定された宛先に有線送信する。なお、無線接続部１３及び有線接続部１１は、宛先を指定しないブロードキャスト送信することも可能である。
【００２５】
ＨＤＭＩ機器ＩＤテーブル１７と無線機器ＩＤ／グループ識別ＩＤテーブル１８とは、それぞれの機器の電源がオンされ、有線接続、無線接続が有効になったときに自動的に所定のコマンドをやり取りして生成される。この電源オン後のシーケンス例については、後述の図６で説明する。
【００２６】
図２は、本発明の無線伝送システムを構成するソース機器の一例を示すブロック図である。図２（Ａ）は有線（ＨＤＭＩ）ソース機器、図２（Ｂ）は無線ソース機器を示す。これらのソース機器は、ＡＶコンテンツを出力可能な映像出力機器であって、本例のＢＤ(Blu-ray Disc)プレーヤ、ＢＤレコーダに限定されず、例えば、ＳＴＢや、ＤＶＤレコーダ、ＤＶＤプレーヤなどであってもよい。
【００２７】
図２（Ａ）において、ＨＤＭＩソース機器２は、ＢＤ等の光ディスクを駆動するＢＤ部２１と、ＨＤＭＩソース機器２を制御する制御部２２と、有線（ＨＤＭＩ）機器と通信可能に接続するための有線接続部２３と、ＣＥＣメッセージを送受信するＨＤＭＩ・ＣＥＣドライバ２４と、ＣＥＣメッセージを解析する機器制御マネージャ２５と、ＨＤＭＩ機器の論理アドレスと物理アドレスとを対応付けて記憶するＨＤＭＩ機器ＩＤテーブル２６と、リモコン装置（図示せず）から操作信号を受信する受光部や本体操作部を含む操作部２７と、を備える。
【００２８】
図２（Ｂ）において、無線ソース機器３は、ＢＤ等の光ディスクを駆動するＢＤ部３１と、無線ソース機器３を制御する制御部３２と、無線機器と通信可能に接続するための無線接続部３３と、無線制御コマンドを送受信する無線機器制御ドライバ３４と、無線制御コマンドを解析する機器制御マネージャ３５と、無線機器に固有のＩＤと各無線機器が属するグループを識別するためのグループ識別ＩＤとを対応付けて記憶する無線機器ＩＤ／グループ識別ＩＤテーブル３６と、リモコン装置（図示せず）から操作信号を受信する受光部や本体操作部を含む操作部３７と、を備える。
【００２９】
図３は、本発明の無線伝送システムを構成するシンク機器の一例を示すブロック図である。図３（Ａ）は有線（ＨＤＭＩ）シンク機器、図３（Ｂ）は無線シンク機器を示す。これらのシンク機器は、ソース機器から送信されるＡＶコンテンツのうち、映像及び／又は音声を出力可能な表示機器であって、例えば、テレビやモニタなどである。また、シンク機器は、ソース機器から送信されるＡＶコンテンツのうち、音声を出力可能なオーディオ機器であってもよく、例えば、ＡＶアンプやスピーカなどでもよい。
【００３０】
図３（Ａ）において、ＨＤＭＩシンク機器４は、有線（ＨＤＭＩ）機器と通信可能に接続するための有線接続部４１と、ＨＤＭＩシンク機器４を制御する制御部４２と、ＬＣＤ(Liquid Crystal Display)などの表示部４３と、ＣＥＣメッセージを送受信するＨＤＭＩ・ＣＥＣドライバ４４と、ＣＥＣメッセージを解析する機器制御マネージャ４５と、ＨＤＭＩ機器の論理アドレスと物理アドレスとを対応付けて記憶するＨＤＭＩ機器ＩＤテーブル４６と、リモコン装置（図示せず）から操作信号を受信する受光部や本体操作部を備えた操作部４７と、を備える。
【００３１】
図３（Ｂ）において、無線シンク機器５は、無線機器と通信可能に接続するための無線接続部５１と、無線シンク機器５を制御する制御部５２と、ＬＣＤなどの表示部５３と、無線制御コマンドを送受信する無線機器制御ドライバ５４と、無線制御コマンドを解析する機器制御マネージャ５５と、無線機器に固有のＩＤと各無線機器が属するグループを識別するためのグループ識別ＩＤとを対応付けて記憶する無線機器ＩＤ／グループ識別ＩＤテーブル５６と、リモコン装置（図示せず）から操作信号を受信する受光部や本体操作部を含む操作部５７と、を備える。
【００３２】
図２及び図３において、各機器は、それぞれ接続（有線接続または無線接続）する他の機器のＩＤ情報を、ブリッジ機器１と同様にテーブルで保持する。ＨＤＭＩ機器の場合はＨＤＭＩ機器ＩＤテーブル、無線機器の場合は無線機器ＩＤ／グループ識別ＩＤテーブルにそれぞれ保持する。これらのテーブルに保持するＩＤ情報は、ブリッジ機器１と同様に、電源オンでそれぞれの接続が有効になったときに、自動的に所定の制御コマンドをやり取りして生成される。そして、各テーブルの内容は、接続先機器のテーブルと同じ内容となる。
【００３３】
本発明の主たる特徴部分は、無線ＡＶ伝送を行う際に、グループ単位で複数のシンク機器を連動して動作させ、制御コマンドの伝送量を必要最小限にすることである。このための構成として、無線伝送システムは、映像及び／又は音声を含むＡＶコンテンツを無線送信するコンテンツ送信装置と、無線送信されたＡＶコンテンツを受信する複数のシンク機器とを備え、複数のシンク機器の少なくとも１つが無線シンク機器で構成される。例えば、複数のシンク機器がテレビと複数のスピーカとで構成されている場合、コンテンツ再生装置からマルチキャスト送信されるＡＶコンテンツのうち、テレビはＡＶコンテンツから映像を抽出し、スピーカは音声を抽出することができるため、複数のシンク機器により映像及び音声を同時に再生することができる。
【００３４】
上記コンテンツ送信装置としては、大きく２つの形態があり、第１に、有線ソース機器２とブリッジ機器１とで構成される形態、第２に、無線ソース機器３のみで構成される形態とがある。第１の形態を代表例として説明すると、コンテンツ送信装置を構成するブリッジ機器１（図１）は、複数のシンク機器で構成されるグループを識別するためのグループ識別ＩＤを記憶するグループ識別ＩＤテーブルに相当する無線機器ＩＤ／グループ識別ＩＤテーブル１８と、複数のシンク機器を制御するための制御コマンドに、無線機器ＩＤ／グループ識別ＩＤテーブル１８から抽出されるグループ識別ＩＤを付加するグループ識別ＩＤ付加部に相当する機器制御マネージャ１６と、グループ識別ＩＤが付加された制御コマンドを無線送信する無線送信部に相当する無線接続部１３と、を備える。なお、このコンテンツ送信装置を無線ソース機器３（図２（Ｂ））とした第２の形態の場合でも同様である。
【００３５】
すなわち、無線ＡＶ伝送で接続される複数のシンク機器（例えば、テレビ装置と１つ以上のオーディオ機器など）をまとめたグループを形成する。このグループ単位で連動して動作させる必要がある場合に、グループ識別ＩＤを付加した制御コマンドを無線送信する。無線シンク機器は、自身のグループ宛の制御コマンドであれば、この制御コマンドを受信し、受信した制御コマンドに応じた動作を行うように構成される。これにより、無線ＡＶ伝送を行う際に、グループ単位で複数のシンク機器を連動して動作させ、制御コマンドの伝送量を必要最小限にすることができ、また、各シンク機器での制御コマンドの到着タイミングにバラツキが発生しなくなるようにすることができる。
【００３６】
また、グループに属する無線シンク機器のいずれか１つを代表無線シンク機器としてもよい。この代表無線シンク機器は、代表無線シンク機器が属するグループを代表して、コンテンツ送信装置（ブリッジ機器１あるいは無線ソース機器３）、または、他のグループの代表無線シンク機器と無線通信を行うことができる。この代表機器を設けることで、例えば、グループ内の機器を連動動作させたり、ソース側へのレスポンスを一本化することができるといった効果が得られる。
【００３７】
ここで、無線伝送方式の制御コマンドとしては、例えば、特定の機器宛てに出される特定機器向けコマンド、相手機器を特定せず全てのグループ宛てに出されるブロードキャストコマンド、特定のグループ宛てに出されるグループ宛てコマンド、などがある。また、応答を必要とするコマンド（例えば、問い合わせコマンドなど）を受け取った機器は、応答（レスポンス）をコマンド送信元に返信する。
【００３８】
有線伝送方式の制御コマンド（ＨＤＭＩではＣＥＣメッセージ）としては、例えば、特定の機器宛てに出される特定機器向けのコマンド、相手機器を特定せず全ての接続機器宛てに出されるブロードキャストコマンド、などがある。また、同様に、応答を必要とするコマンド（問い合わせコマンドなど）を受け取った機器は、レスポンスをコマンド送信元に返信する。
【００３９】
（第１の実施形態）
本実施形態は、前述したように、コンテンツ送信装置を、ＨＤＭＩソース機器２とブリッジ機器１とで構成し、複数のシンク機器を、全て無線シンク機器（テレビ装置と１つ以上のオーディオ機器）で構成したものである。この場合、ブリッジ機器１が全ての無線シンク機器と無線接続される。
【００４０】
図４は、本発明の第１の実施形態に係る無線伝送システムの構成例を示す図である。本例では、ＨＤＭＩソース機器２とブリッジ機器１とがＨＤＭＩ接続され、ブリッジ機器１と複数の無線シンク機器が無線接続される。図中、５ａ，５ｂはテレビ、６ａ〜６ｃはオーディオを示す。これらのテレビ５ａ，５ｂ、オーディオ６ａ〜６ｃは、無線シンク機器であり、テレビ５ａ，５ｂは図３（Ｂ）に示した装置構成を備える。また、オーディオ６ａ〜６ｃは、例えば、スピーカやＡＶアンプなどの音声出力機器であり、無線接続部、制御部、無線機器制御ドライバ、機器制御マネージャ、無線機器ＩＤ／グループ識別ＩＤテーブル、及び音声出力部などで構成される。
【００４１】
本例の場合、ＨＤＭＩソース機器２はＨＤＭＩ機器ＩＤテーブル７ａを備え、テレビ５ａ，５ｂ及びオーディオ６ａ〜６ｃは無線機器ＩＤ／グループ識別ＩＤテーブル７ｂを備え、ブリッジ機器１はＨＤＭＩ機器ＩＤテーブル７ａ及び無線機器ＩＤ／グループ識別ＩＤテーブル７ｂを備える。これらのテーブル７ａ，７ｂの生成方法については、後述の図６で説明するものとする。そして、テレビ５ａとオーディオ６ａ，６ｂはグループＡに分類され、テレビ５ｂとオーディオ６ｃはグループＢに分類される。
【００４２】
第１の形態の場合、無線シンク機器であるテレビ５ａ，５ｂ及びオーディオ６ａ〜６ｃは、コンテンツ送信装置（ブリッジ機器１）から無線送信された制御コマンドに自身のグループ識別ＩＤが付加されている場合に、その制御コマンドを受信する。これにより、無線シンク機器は、受信した制御コマンドに基づいて、同じグループに属する他の無線シンク機器と共に連動して動作することができる。
【００４３】
また、無線シンク機器であるオーディオ６ａ〜６ｃは、図４に示す無線機器ＩＤ／グループ識別ＩＤテーブル７ｂを備えているため、同じグループに属する他の無線シンク機器（テレビ５ａ，５ｂ）から無線送信された制御コマンドに自身のグループ識別ＩＤが付加されている場合に、その制御コマンドを受信することが可能である。この場合も上記と同様に、無線シンク機器は、受信した制御コマンドに基づいて、同じグループに属する他の無線シンク機器と共に連動して動作することができる。
【００４４】
図５は、無線制御コマンドを送信するパケットの構成例を示す図で、図中、８は伝送パケットを示す。この伝送パケット８のフレームフォーマットは、フレーム識別情報８１、受信グループ識別情報８２、送信元アドレス８３、順序番号情報８４、無線制御コマンド８５、及び誤り検出符号８６、といったフィールドで構成される。
【００４５】
フレーム識別情報８１は、データの種別を指定する情報である。例えば、無線ＬＡＮの場合、制御の目的（データ通信、マネージメント、帯域予約、Acknowledgementなど）に従って、識別情報が区別される。受信グループ識別情報８２は、受信するグループを指定する情報（グループ識別ＩＤ）である。無線シンク機器はこれに基づき自身のグループと合致する場合にこの伝送パケット８のそれ以降のフィールドを受信する。なお、特定の機器宛てに制御コマンドを送信する場合、宛先機器の機器ＩＤを指定する必要があるため、この機器ＩＤを指定するためのフィールドを別途設けるようにする。あるいは、機器ＩＤ用のフィールドを受信グループ識別情報８２のフィールドと兼用してもよい。
【００４６】
送信元アドレス８３は、送信元である無線ソース機器などのアドレスを示す。順序番号情報８４は、再送処理がある通信の場合には重複を判定するために用いられ、また、再送処理が無い場合でも受信機（シンク機器）が番号飛びを検出するために用いられる。なお、この順序番号情報８４はこのフレームフォーマットに含めなくてもよい。
【００４７】
無線制御コマンド８５は、各シンク機器を制御するための各種の制御データである。なお、ネットワーク形成などの管理を行っている場合には通信制御データを含めるようにしてもよい。誤り検出符号８６は、ＣＲＣ(Cyclic Redundancy Check)など、送信データに誤りが無いか否かを判定するためのデータである。
【００４８】
図６は、本発明の第１の実施形態に係る無線伝送システムにおける電源オン時のシーケンスの一例を示す図である。このシーケンス例は図４のシステム構成に対応しており、ブリッジ機器１が前述の図４に示すＨＤＭＩ機器ＩＤテーブル７ａ及び無線機器ＩＤ／グループ識別ＩＤテーブル７ｂを生成する場合を例示して説明する。図中、一重線は無線制御コマンド、二重線はＣＥＣメッセージ、破線は機器制御以外のコマンド、丸印はコマンド送信元、矢印はコマンド宛先を示す。また、図４のＨＤＭＩソース機器２、ブリッジ機器１、テレビ５ａ、オーディオ６ａ、オーディオ６ｂ、テレビ５ｂ、及びオーディオ６ｃが、それぞれ図６のＨＤＭＩソース機器、ブリッジ機器、テレビ１、オーディオ１、オーディオ２、テレビ２、及びオーディオ３に対応しているものとする。
【００４９】
また、図６において、「ＨＤＭＩ ＣＥＣ論理アドレス」は、図４に示すＨＤＭＩ機器ＩＤテーブル７ａの論理アドレスに対応しており、「無線上の機器制御アドレス」は、図４に示す無線機器ＩＤ／グループ識別ＩＤテーブル７ｂのグループ識別ＩＤ（Ｇｒ），機器ＩＤ（Ｄｅｖ）に対応しているものとする。
【００５０】
まず、ＨＤＭＩソース機器及びブリッジ機器の電源がオンされると（Ｓ１）、ブリッジ機器は、ＨＤＭＩ接続において仮想的にテレビ１の役割を果たすために、テレビの物理アドレス（０．０．０．０）を機器情報としてＨＤＭＩソース機器に送信する（Ｓ２）。これにより、ブリッジ機器の物理アドレスが（０．０．０．０）、ＨＤＭＩソース機器の物理アドレスが（１．０．０．０）として決定される。そして、ＨＤＭＩソース機器は、自身が再生機器であることを宣言するために、再生機器の論理アドレス“４”をＣＥＣメッセージ<Polling Message>により送信する（Ｓ３）。これに対して、Ａｃｋが無ければ、そのまま確定する。なお、ブリッジ機器のグループ識別ＩＤは“０”、機器ＩＤは“０”としてデフォルト設定される。
【００５１】
次に、テレビ１の電源がオンされると（Ｓ４）、テレビ１は、ブリッジ機器を介してＨＤＭＩソース機器の存在を検知し（Ｓ５）、テレビ１の機器情報をブリッジ機器に送信する（Ｓ６）。そして、テレビ１は、アドレス割当を要求する無線制御コマンドをブリッジ機器に送信し（Ｓ７）、ブリッジ機器は、アドレスを通知するための無線制御コマンドをブロードキャスト送信する（Ｓ８）。これにより、テレビ１は、アドレスとしてグループ識別ＩＤ“１”と機器ＩＤ“１”を取得する。
【００５２】
次に、テレビ１は、グループとなるオーディオ機器にスタンバイ状態からの復帰要求（電源オン要求）を送信する（Ｓ９）。この場合、テレビ１は、予めオーディオ１，２のＭＡＣ（Media Access Control）アドレスを記憶しており、これらのオーディオ機器が同じグループであることを認識しているものとする。オーディオ１，２は、テレビ１からの復帰要求に応じて、電源をオンすると（Ｓ１０）、それぞれの機器情報をブリッジ機器に送信する（Ｓ１１）。
【００５３】
次に、オーディオ１は、アドレス割り当てを要求する無線制御コマンドをブリッジ機器に送信し（Ｓ１２）、ブリッジ機器は、アドレスを通知するための無線制御コマンドをブロードキャスト送信する（Ｓ１３）。これにより、オーディオ１は、アドレスとしてグループ識別ＩＤ“０”と機器ＩＤ“２”を取得する。このグループ識別ＩＤ“０”はデフォルトを示す。同様に、オーディオ２は、アドレス割り当てを要求する無線制御コマンドをブリッジ機器に送信し（Ｓ１４）、ブリッジ機器は、アドレスを通知するための無線制御コマンドをブロードキャスト送信する（Ｓ１５）。これにより、オーディオ２は、アドレスとしてグループ識別ＩＤ“０（デフォルト）”と機器ＩＤ“３”を取得する。
【００５４】
次に、ブリッジ機器は、無線側にオーディオ機器が存在するために、ＨＤＭＩソース機器に、オーディオ機器の論理アドレス“５”をＣＥＣメッセージ<Polling Message>により送信する（Ｓ１６）。これに対して、Ａｃｋが無ければ、そのまま確定する。
【００５５】
次に、テレビ１は、グループ識別ＩＤ“１”の設定を要求する無線制御コマンドをオーディオ１に送信し（Ｓ１７）、オーディオ１は、この要求に応じてグループ識別ＩＤ“１”を設定すると、グループＩＤ設定通知をブロードキャスト送信する（Ｓ１８）。同様に、テレビ１は、グループ識別ＩＤ“１”の設定を要求する無線制御コマンドをオーディオ２に送信し（Ｓ１９）、オーディオ２は、この要求に応じてグループ識別ＩＤ“１”を設定すると、グループＩＤ設定通知をブロードキャスト送信する（Ｓ２０）。
【００５６】
すなわち、ブリッジ機器が、テレビ１の電源がオンされたときに、テレビ１にグループ識別ＩＤを割り当て（Ｓ８）、テレビ１が、オーディオ１，２に固有の機器識別情報（ＭＡＣアドレスなど）に基づいてオーディオ１，２をグループ化し、グループ化したオーディオ１，２にグループ識別ＩＤを割り当てる（Ｓ１７，Ｓ１９）。この処理により無線機器ＩＤ／グループ識別ＩＤテーブル７ｂが生成される。他のグループについても同様の処理によりテーブルが生成される。
【００５７】
このように、図６で説明したシーケンスにより、前述の図４に示した各テーブル７ａ，７ｂが生成される。
【００５８】
図７は、図４に示した各テーブルの値と図６のステップとを対応付けて説明するための図である。図７（Ａ）に示すテーブル７ａの場合、ブリッジ機器及びＨＤＭＩソース機器の物理アドレスと論理アドレスは、図６のステップ（１）で決定される。このステップ（１）はＨＤＭＩ機器の電源がオンされ、ＨＤＭＩネットワークを構成するステップであり、Ｓ１〜Ｓ３に相当する。また、ブリッジ機器（オーディオ用）の物理アドレスと論理アドレスは、図６のステップ（５）で決定される。このステップ（５）はＨＤＭＩソース機器側にオーディオ機器の接続を通知するステップであり、Ｓ１６に相当する。
【００５９】
また、図７（Ｂ）に示すテーブル７ｂの場合、ブリッジ機器のグループ識別ＩＤと機器ＩＤは、図６のステップ（１）で決定される。また、テレビ１のグループ識別ＩＤと機器ＩＤは、図６のステップ（２）で決定される。このステップ（２）は無線機器のテレビ１の電源がオンされ、ブリッジ機器に接続するステップであり、Ｓ４〜Ｓ８に相当する。また、オーディオ１，２のグループ識別ＩＤと機器ＩＤは、図６のステップ（４），（６）で決定される。このステップ（４）はオーディオ１，２の電源がオンされ、ブリッジ機器に接続するステップであり、Ｓ１０〜Ｓ１５に相当する。また、ステップ（６）はオーディオ１，２にグループ識別ＩＤを設定するステップであり、Ｓ１７〜Ｓ２０に相当する。なお、グループＢのテレビ２及びオーディオ３については同様の方法でグループ識別ＩＤ及び機器ＩＤを取得することができるため、ここでの説明は省略する。
【００６０】
図８は、本発明の第１の実施形態に係る無線伝送システムにおける通信手順の一例を示す図である。以下で説明する手順は、前述の図４に示した無線伝送システムにおいて、ＨＤＭＩ機器ＩＤテーブル７ａ，無線機器ＩＤ／グループ識別ＩＤテーブル７ｂに基づいて実行される。手順（１１）は、無線機器宛に無線制御コマンド（レスポンスなし）を送信する場合の手順であり、テレビ１がオーディオ２に音量操作を行う例について示したものである。テレビ１は、音量を制御するための無線制御コマンド<User Control Pressed>[Volume Up]を、宛先として機器ＩＤ“３”（Ｄｅｖ３）を指定して送信する（Ｓ２１）。機器ＩＤ“３”に対応するオーディオ２は、この無線制御コマンドに応じて音量制御を行う。ここではレスポンスなしであるため、オーディオ２はレスポンスを返信しない。
【００６１】
手順（１２）は、無線機器宛に無線制御コマンド（レスポンス有り）を送信する場合の手順であり、テレビ１がオーディオ２に状態問い合わせを行う例について示したものである。テレビ１は、状態を問い合わせるための無線制御コマンド<Give Audio Status>を、宛先として機器ＩＤ“３”（Ｄｅｖ３）を指定して送信する（Ｓ２２）。機器ＩＤ“３”に対応するオーディオ２は、この無線制御コマンドに応じて、レスポンスとして、自身の状態を示す無線制御コマンド<Report Audio Status>[Mute ON]を、宛先として機器ＩＤ“１”（Ｄｅｖ１）を指定して返信する（Ｓ２３）。ここではレスポンス有りであるため、オーディオ２はレスポンスを返信する。
【００６２】
手順（１３）は、グループ内の無線機器宛に無線制御コマンド（レスポンスなし）を送信する場合の手順であり、テレビ１が同じグループのオーディオ１，２にスタンバイ要求を行う例について示したものである。テレビ１は、スタンバイ要求するための無線制御コマンド<Standby>を、宛先としてグループ識別ＩＤ“１”（Ｇｒ１）を指定して送信する（Ｓ２４）。グループ識別ＩＤ“１”に対応するオーディオ１，２は、この無線制御コマンドに応じてスタンバイ状態に移行する。ここではレスポンスなしであるため、オーディオ１，２はレスポンスを返信しない。
【００６３】
手順（１４）は、グループ内の無線機器宛に無線制御コマンド（レスポンス有り）を送信する場合の手順であり、テレビ１が同じグループのオーディオ１，２に電源状態の問い合わせを行う例について示したものである。テレビ１は、電源状態を問い合わせるための無線制御コマンド<Give Device Power Status>を、宛先としてグループ識別ＩＤ“１”（Ｇｒ１）を指定して送信する（Ｓ２５）。グループ識別ＩＤ“１”に対応するオーディオ２は、この無線制御コマンドに応じて、レスポンスとして、自身の電源状態を示す無線制御コマンド<Report Power Status>[ON]を、宛先として機器ＩＤ“１”（Ｄｅｖ１）を指定して返信する（Ｓ２６）。同様に、グループ識別ＩＤ“１”に対応するオーディオ１は、この無線制御コマンドに応じて、レスポンスとして、自身の電源状態を示す無線制御コマンド<Report Power Status>[OFF]を、宛先として機器ＩＤ“１”（Ｄｅｖ１）を指定して返信する（Ｓ２７）。ここではレスポンス有りであるため、オーディオ１，２はレスポンスを返信する。
【００６４】
手順（１５）は、グループ内の無線機器宛に無線制御コマンド（レスポンスなし）を送信する場合の手順であり、ブリッジ機器がグループＡ（グループ識別ＩＤ“１”）のテレビ１，オーディオ１，２にスタンバイ要求を行う例について示したものである。ブリッジ機器は、スタンバイ要求するための無線制御コマンド<Standby>を、宛先としてグループ識別ＩＤ“１”（Ｇｒ１）を指定して送信する（Ｓ２８）。本例では、グループ外からの無線制御コマンドは、代表無線シンク機器であるテレビ１のみが受け取る。テレビ１は、ブリッジ機器から受け取った無線制御コマンド<Standby>を、宛先としてグループ識別ＩＤ“１”（Ｇｒ１）を指定して転送する（Ｓ２９）。グループ識別ＩＤ“１”に対応するテレビ１、オーディオ１，２は、この無線制御コマンドに応じてスタンバイ状態に移行する。ここではレスポンスなしであるため、グループＡに属するテレビ１、オーディオ１，２はレスポンスを返信しない。
【００６５】
手順（１６）は、グループ内の無線機器宛に無線制御コマンド（レスポンス有り）を送信する場合の手順であり、ブリッジ機器がグループＡ（グループ識別ＩＤ“１”）のテレビ１，オーディオ１，２に電源状態の問い合わせを行う例について示したものである。ブリッジ機器は、電源状態を問い合わせるための無線制御コマンド<Give Device Power Status>を、宛先としてグループ識別ＩＤ“１”（Ｇｒ１）を指定して送信する（Ｓ３０）。本例では、グループ外からの無線制御コマンドは、代表無線シンク機器であるテレビ１のみが受け取る。テレビ１は、ブリッジ機器から受け取った無線制御コマンド<Give Device Power Status>を、宛先として機器ＩＤ“２”（Ｄｅｖ２）を指定して転送する（Ｓ３１）。機器ＩＤ“２”に対応するオーディオ１は、この無線制御コマンドに応じて、レスポンスとして、自身の電源状態を示す無線制御コマンド<Report Power Status>[OFF]を、宛先に機器ＩＤ“１”（Ｄｅｖ１）を指定して返信する（Ｓ３２）。
【００６６】
同様に、テレビ１は、ブリッジ機器から受け取った無線制御コマンド<Give Device Power Status>を、宛先として機器ＩＤ“３”（Ｄｅｖ３）を指定して転送する（Ｓ３３）。機器ＩＤ“３”に対応するオーディオ２は、この無線制御コマンドに応じて、レスポンスとして、自身の電源状態を示す無線制御コマンド<Report Power Status>[OFF]を、宛先に機器ＩＤ“１”（Ｄｅｖ１）を指定して返信する（Ｓ３４）。そして、この識別ＩＤ“１”に対応するテレビ１は、オーディオ１，２から受信した複数のレスポンスを所定のルールに基づいて１つのレスポンスに一括し、これを機器ＩＤ“０”（Ｄｅｖ０）を指定して返信する（Ｓ３５）。機器ＩＤ“０”に対応するブリッジ機器は、このレスポンスを受信する。
【００６７】
図８の手順（１５）、（１６）で説明したように、各グループに属する無線シンク機器のいずれか１つを代表無線シンク機器としてもよい。この代表無線シンク機器は、代表無線シンク機器が属するグループを代表して、コンテンツ送信装置（ブリッジ機器）または他のグループの代表無線シンク機器と無線通信を行う。また、代表無線シンク機器は、グループ内の他のシンク機器と無線通信を行うようにしてもよい。例えば、前述の図４に示したように、グループを全て無線シンク機器で構成した場合、代表無線シンク機器をテレビ１，２とする。また、後述の図１０に示すように、グループにブリッジ機器を含み、このブリッジ機器にテレビ装置がＨＤＭＩ接続されている場合、代表無線シンク機器をブリッジ機器とする。
【００６８】
上記の手順（１６）では、ブリッジ機器から制御コマンドがブロードキャスト送信された場合に、代表無線シンク機器であるテレビ１は、この制御コマンドを受信し、制御コマンドに対して、テレビ１が属するグループ内の他のシンク機器（オーディオ１，２）の複数のレスポンスを所定のルールに基づいて１つのレスポンスに一括し、この応答をブリッジ機器に返信するようにしている。
【００６９】
このレスポンスの返信方法について大きく分けて２つのケースが考えられる。第１のケースは、ブリッジ機器が、ＨＤＭＩソース機器からの問い合わせコマンドに対して、シンク機器（オーディオ１，２，３）のレスポンスを、各グループの代表無線シンク機器（テレビ１，２）から受信し、このレスポンスをＨＤＭＩソース機器へ返信するケースである。また、第２のケースは、代表無線シンク機器（テレビ１）が、グループ外から問い合わせコマンドを受信した場合に、グループ内の無線シンク機器（オーディオ１，２）へ問い合わせコマンドを送信し、各シンク機器からのレスポンスを受信し、このレスポンスをコマンド発行元に返信するケース（上記手順１６に相当）である。また、第２のケースの場合、後述の第２の実施形態に示すように代表無線シンク機器がブリッジ機器であってもよく、この場合、グループ内のブリッジ機器に接続された有線機器へ問い合わせコマンドを送信する。
【００７０】
このとき、ブリッジ機器または代表無線シンク機器（テレビあるいはブリッジ機器）において、複数のレスポンスを１つにまとめる際のルールを定める必要がある。一例として以下のレスポンス返信ルールを定義することで、複数のシンク機器から異なるレスポンスを受け取っても、１つのシンク機器が接続されている場合と同様に１つのレスポンスを返信することができる。このため、複数接続（マルチキャスト接続）を意識することなく、機器制御が可能となる。
【００７１】
（レスポンス返信ルール）
１．オン／オフ状態の問い合わせの制御コマンド（例えば、電源状態、映像表示状態、音声再生状態の問い合わせ）の場合、接続されたシンク機器に１台以上「ON」の機器があれば、レスポンスとして「ON」を返信し、それ以外は「OFF」を返信する。
２．数値の問い合わせの制御コマンド（例えば、ボリュームの問い合わせ）の場合、接続されたシンク機器の数値の最大値をレスポンスとして返信する。
【００７２】
これまでの説明では、各無線シンク機器に、機器ＩＤの他に、新たにグループ識別ＩＤの属性を割り当てていたが、無線機器ＩＤ／グループ識別ＩＤテーブルに記憶されるグループ識別ＩＤを、代表無線シンク機器の機器ＩＤとしてもよい。各グループのシンク機器は、自分のグループの代表無線シンク機器の機器ＩＤを保持する。この場合、前述の図４に示した無線機器ＩＤ／グループ識別ＩＤテーブル７ｂの「グループ識別ＩＤ」の欄を、「グループ代表機器ＩＤ」とすればよい。例えば、テーブル７ｂにおいて、代表機器であるテレビ１の機器ＩＤは“１”であるため、同じグループのオーディオ１，２もこの代表機器ＩＤ“１”を保持する。これにより、各シンク機器はグループ識別ＩＤという別個の属性をもたなくてよい。
【００７３】
また、グループの代表でないシンク機器（オーディオ機器）は、グループの代表機器としか制御コマンドをやり取りしないため、無線機器ＩＤ／グループ識別ＩＤテーブル７ｂの全てを保持しなくてもよく、自身の機器ＩＤ、グループ識別ＩＤ、代表機器の機器ＩＤのみを保持する形でも同様の動作が可能となる。
【００７４】
図９は、本発明の第１の実施形態に係る無線伝送システムにおける通信手順の他の例を示す図である。以下で説明する手順は、前述の図４に示した無線伝送システムにおいて、ＨＤＭＩ機器ＩＤテーブル７ａ，無線機器ＩＤ／グループ識別ＩＤテーブル７ｂに基づいて実行される。
【００７５】
手順（１７）は、ＨＤＭＩソース機器からＣＥＣメッセージ（レスポンスなし）を送信する場合の手順であり、ＨＤＭＩソース機器がグループＡ，Ｂの機器にスタンバイ要求を行う例について示したものである。ＨＤＭＩソース機器は、スタンバイ要求するためのＣＥＣメッセージ<Standby>を、宛先として論理アドレス“０”（ＴＶ）を指定して送信する（Ｓ４１）。この論理アドレスに対応するブリッジ機器は、このＣＥＣメッセージを無線制御コマンドに変換し、変換した無線制御コマンド<Standby>を、宛先を指定せずにブロードキャスト送信する（Ｓ４２）。本例では、ブロードキャスト送信された無線制御コマンド<Standby>は、代表無線シンク機器であるテレビ１，２のみが受け取る。
【００７６】
テレビ１は、ブリッジ機器から受け取った無線制御コマンド<Standby>を、宛先としてグループ識別ＩＤ“１”（Ｇｒ１）を指定して転送する（Ｓ４３）。同様に、テレビ２は、ブリッジ機器から受け取った無線制御コマンド<Standby>を、宛先としてグループ識別ＩＤ“２”（Ｇｒ２）を指定して転送する（Ｓ４４）。グループ識別ＩＤ“１”に対応するテレビ１、オーディオ１，２と、グループ識別ＩＤ“２”に対応するテレビ２、オーディオ３とは、この無線制御コマンドに応じてスタンバイ状態に移行する。ここではレスポンスなしであるため、グループＡ，Ｂに属する機器はレスポンスを返さない。
【００７７】
手順（１８）は、ＨＤＭＩソース機器からＣＥＣメッセージ（レスポンス有り）を送信する場合の手順であり、ＨＤＭＩソース機器がグループＡ，Ｂの機器に電源状態の問い合わせを行う例について示したものである。ＨＤＭＩソース機器は、電源状態の問い合わせを行うためのＣＥＣメッセージ<Give Device Power Status>を、宛先として論理アドレス“０”（ＴＶ）を指定して送信する（Ｓ４５）。この論理アドレスに対応するブリッジ機器は、このＣＥＣメッセージを無線制御コマンドに変換し、変換した無線制御コマンド<Give Device Power Status>を、宛先を指定せずにブロードキャスト送信する（Ｓ４６）。本例では、ブロードキャスト送信された無線制御コマンド<Give Device Power Status>は、代表無線シンク機器であるテレビ１，２のみが受け取る。
【００７８】
テレビ１は、ブリッジ機器から受け取った無線制御コマンド<Give Device Power Status>を、宛先として機器ＩＤ“２”（Ｄｅｖ２）を指定して転送する（Ｓ４７）。この機器ＩＤ“２”に対応するオーディオ１は、レスポンスとして、無線制御コマンド<Report Power Status>[ON]を、宛先として機器ＩＤ“１”（Ｄｅｖ１）を指定して送信する（Ｓ４８）。同様に、テレビ１は、無線制御コマンド<Give Device Power Status>を、宛先として機器ＩＤ“３”（Ｄｅｖ３）を指定して転送する（Ｓ４９）。この機器ＩＤ“３”に対応するオーディオ２は、レスポンスとして、無線制御コマンド<Report Power Status>[ON]を、宛先として機器ＩＤ“１”（Ｄｅｖ１）を指定して送信する（Ｓ５０）。この機器ＩＤ“１”に対応するテレビ１は、オーディオ１，２からのレスポンスを前述したレスポンス返信ルールに基づいて１つのレスポンスとし、この無線制御コマンド<Report Power Status>[ON]を、宛先として機器ＩＤ“０”（Ｄｅｖ０）を指定して送信する（Ｓ５１）。
【００７９】
また、テレビ２は、ブリッジ機器から受け取った無線制御コマンド<Give Device Power Status>を、宛先として機器ＩＤ“５”（Ｄｅｖ５）を指定して転送する（Ｓ５２）。この機器ＩＤ“５”に対応するオーディオ３は、レスポンスとして、無線制御コマンド<Report Power Status>[ON]を、宛先として機器ＩＤ“４”（Ｄｅｖ４）を指定して送信する（Ｓ５３）。この機器ＩＤ“４”に対応するテレビ２は、オーディオ３からのレスポンスとして、無線制御コマンド<Report Power Status>[ON]を、宛先として機器ＩＤ“０”（Ｄｅｖ０）を指定して送信する（Ｓ５４）。
【００８０】
そして、機器ＩＤ“０”に対応するブリッジ機器は、テレビ１及びテレビ２からの２つのレスポンスをレスポンス返信ルールに基づいて１つのレスポンスとし、この無線制御コマンド<Report Power Status>[ON]をＣＥＣメッセージに変換し、変換したＣＥＣメッセージ<Report Power Status>[ON]を、宛先として論理アドレス“４”を指定して送信する（Ｓ５５）。この論理アドレスに対応するＨＤＭＩソース機器は、ブリッジ機器からのレスポンスを受信する。
【００８１】
手順（１９）は、無線シンク機器からＨＤＭＩソース機器へ無線制御コマンド（レスポンスなし）を送信する場合の手順であり、テレビ１からＨＤＭＩソース機器へリモコン信号を送信する例について示したものである。テレビ１は、リモコン信号の無線制御コマンド<User Control Pressed>[DOWN]を、宛先として機器ＩＤ“０”（Ｄｅｖ０）を指定して送信する（Ｓ５６）。機器ＩＤ“０”に対応するブリッジ機器は、テレビ１からの無線制御コマンド<User Control Pressed>[DOWN]をＣＥＣメッセージに変換し、変換したＣＥＣメッセージ<User Control Pressed>[DOWN]を、宛先として論理アドレス“４”を指定して送信する（Ｓ５７）。この論理アドレスに対応するＨＤＭＩソース機器は、ブリッジ機器からのＣＥＣメッセージを受信する。
【００８２】
手順（２０）は、無線シンク機器からＨＤＭＩソース機器へ無線制御コマンド（レスポンス有り）を送信する場合の手順であり、テレビ１からＨＤＭＩソース機器へ再生要求を送信する例について示したものである。テレビ１は、再生要求信号の無線制御コマンド<Play>[FORWARD]を、宛先として機器ＩＤ“０”（Ｄｅｖ０）を指定して送信する（Ｓ５８）。機器ＩＤ“０”に対応するブリッジ機器は、テレビ１からの無線制御コマンド<Play>[FORWARD]をＣＥＣメッセージに変換し、変換したＣＥＣメッセージ<Play>[FORWARD]を、宛先として論理アドレス“４”を指定して送信する（Ｓ５９）。
【００８３】
この論理アドレスに対応するＨＤＭＩソース機器は、ブリッジ機器からのＣＥＣメッセージに対して、レスポンスとして、ＣＥＣメッセージ<Deck Status>[PLAY]を、宛先として論理アドレス“０”（ＴＶ）を指定して送信する（Ｓ６０）。この論理アドレスに対応するブリッジ機器は、このＣＥＣメッセージを無線制御コマンドに変換し、変換した無線制御コマンド<Deck Status>[PLAY]を、宛先として機器ＩＤ“１”（Ｄｅｖ１）を指定して転送する（Ｓ６１）。この機器ＩＤ“１”に対応するテレビ１はこのレスポンスを受信する。
【００８４】
（第２の実施形態）
図１０は、本発明の第２の実施形態に係る無線伝送システムの構成例を示す図である。ブリッジ機器１ａ，１ｂは図１に示した装置構成を備え、テレビ４ａ，４ｂは図３（Ａ）に示した装置構成を備える。また、オーディオ６ｄ，６ｅは、例えば、スピーカやＡＶアンプなどの音声出力機器であり、無線接続部、制御部、無線機器制御ドライバ、機器制御マネージャ、無線機器ＩＤ／グループ識別ＩＤテーブル、及び音声出力部などで構成される。
【００８５】
本実施形態は、前述したように、コンテンツ送信装置を、無線ソース機器３で構成し、グループＡは、無線シンク機器であるブリッジ機器１ａと、このブリッジ機器１ａにＨＤＭＩ接続されるオーディオ６ｄ，テレビ４ａとで構成される。また、グループＢは、無線シンク機器であるブリッジ機器１ｂと、このブリッジ機器１ｂにＨＤＭＩ接続されるテレビ４ｂと、無線シンク機器であるオーディオ６ｅとで構成される。この場合、無線ソース機器３がブリッジ機器１ａ，１ｂ、オーディオ６ｅと無線接続される。
【００８６】
本例のグループＡ，Ｂは共に無線シンク機器と有線シンク機器とを含む。グループＡでは、ブリッジ機器１ａ，オーディオ６ｄ，及びテレビ４ａがＨＤＭＩ接続され、ブリッジ機器１ａを無線シンク機器、オーディオ６ｄ及びテレビ４ａを有線シンク機器とする。また、同様に、グループＢでは、ブリッジ機器１ｂにテレビ４ｂがＨＤＭＩ接続され、ブリッジ機器１ｂ及びオーディオ６ｅを無線シンク機器、テレビ４ｂを有線シンク機器とする。なお、グループＡにおけるオーディオ６ｄは、ＨＤＭＩ規格上では、ソース機器とシンク機器の両方の機能を備えたリピータ機器として規定されるものである。
【００８７】
また、無線ソース機器３は無線機器ＩＤ／グループ識別ＩＤテーブル７ｃを備え、ブリッジ機器１ａは無線機器ＩＤ／グループ識別ＩＤテーブル７ｃ及びＨＤＭＩ機器ＩＤテーブル７ｅを備え、ブリッジ機器１ｂは無線機器ＩＤ／グループ識別ＩＤテーブル７ｃ及びＨＤＭＩ機器ＩＤテーブル７ｄを備え、オーディオ６ｅは無線機器ＩＤ／グループ識別ＩＤテーブル７ｃを備え、テレビ４ａ及びオーディオ６ｄはＨＤＭＩ機器ＩＤテーブル７ｅを備え、テレビ４ｂはＨＤＭＩ機器ＩＤテーブル７ｄを備える。これらのテーブル７ｃ〜７ｅの生成方法については、後述の図１１で説明するものとする。
【００８８】
この第２の形態の場合、無線シンク機器であるブリッジ機器１ａ，１ｂ及びオーディオ６ｅは、コンテンツ送信装置（無線ソース機器３）から無線送信された制御コマンドに自身のグループ識別ＩＤが付加されている場合に、その制御コマンドを受信する。ブリッジ機器にテレビやオーディオの有線シンク機器がＨＤＭＩ接続されている場合には、ブリッジ機器がこの制御コマンドをＣＥＣメッセージとして各有線シンク機器に送信する。これにより、無線シンク機器１ａ，１ｂ及びオーディオ６ｅが受信した制御コマンドに基づいて、同じグループに属するシンク機器を連動して動作させることができる。
【００８９】
また、無線シンク機器であるオーディオ６ｅは、図１０に示す無線機器ＩＤ／グループ識別ＩＤテーブル７ｃを備えているため、同じグループに属する他の無線シンク機器（ブリッジ機器１ｂ）から無線送信された制御コマンドに自身のグループ識別ＩＤが付加されている場合に、その制御コマンドを受信することが可能である。また、ブリッジ機器１ｂは、上記の制御コマンドをＣＥＣメッセージとしてテレビ４ｂに送信するため、有線と無線の混在システムであっても、同じグループに属するシンク機器を連動して動作させることができる。
【００９０】
図１１は、本発明の第２の実施形態に係る無線伝送システムにおける電源オン時のシーケンスの一例を示す図である。このシーケンス例は図１０のシステム構成に対応しており、ブリッジ機器１が図１０に示すＨＤＭＩ機器ＩＤテーブル７ｄ，７ｅ及び無線機器ＩＤ／グループ識別ＩＤテーブル７ｃを生成する場合を例示して説明する。図１０の無線ソース機器３、ブリッジ機器１ａ、オーディオ６ｄ、テレビ４ａ、ブリッジ機器１ｂ、テレビ４ｂ、及びオーディオ６ｅが、それぞれ図１１の無線ソース機器、ブリッジ機器１、オーディオ１、テレビ１、ブリッジ機器２、テレビ２、及びオーディオ２に対応しているものとする。
【００９１】
まず、ブリッジ機器１、オーディオ１、及びテレビ１の電源がオンされると（Ｓ７１）、テレビ１は、ＨＤＭＩ接続において、物理アドレス（０．０．０．０）を機器情報としてブリッジ機器１に送信する（Ｓ７２）。また、オーディオ１は、ＨＤＭＩ接続において、物理アドレス（１．０．０．０）を機器情報としてブリッジ機器１に送信する（Ｓ７３）。これにより、ブリッジ機器１の物理アドレスが（１．１．０．０）、テレビ１の物理アドレスが（０．０．０．０）、オーディオ１の物理アドレスが（１．０．０．０）として決定される。そして、オーディオ１は、自身がオーディオ機器であることを宣言するために、オーディオ機器の論理アドレス“５”をＣＥＣメッセージ<Polling Message>により送信する（Ｓ７４）。これに対して、Ａｃｋが無ければ、そのまま確定する。
【００９２】
次に、無線ソース機器の電源がオンされると（Ｓ７５）、無線ソース機器のグループ識別ＩＤが“０”、機器ＩＤが“０”としてデフォルト設定される。ブリッジ機器１は、無線ソース機器の存在を検知し（Ｓ７６）、ブリッジ機器１の機器情報を無線ソース機器に送信する（Ｓ７７）。そして、ブリッジ機器１は、アドレス割当を要求する無線制御コマンドを無線ソース機器に送信し（Ｓ７８）、無線ソース機器は、アドレスを通知するための無線制御コマンドをブロードキャスト送信する（Ｓ７９）。これにより、ブリッジ機器１は、アドレスとしてグループ識別ＩＤ“１”と機器ＩＤ“１”を取得する。
【００９３】
次に、ブリッジ機器１は、ＨＤＭＩ接続されているオーディオ１，テレビ１に対して、無線ソース機器（再生機器）が無線接続されていることを宣言するために、再生機器の論理アドレス“４”をＣＥＣメッセージ<Polling Message>により送信する（Ｓ８０）。これに対して、Ａｃｋが無ければ、そのまま確定する。
【００９４】
次に、ブリッジ機器２及びテレビ２の電源がオンされると（Ｓ８１）、テレビ２は、ブリッジ機器２に機器情報を送信する（Ｓ８２）。これにより、テレビ２の物理アドレスが（０．０．０．０）、ブリッジ機器２の物理アドレスが（１．０．０．０）として決定される。ブリッジ機器２は、無線ソース機器の存在を検知すると（Ｓ８３）、自身の機器情報を無線ソース機器に送信し（Ｓ８４）、アドレス割当要求を無線ソース機器に送信する（Ｓ８５）。無線ソース機器は、このアドレス割当要求に対して、ブリッジ機器２のアドレスをブロードキャスト送信する（Ｓ８６）。これにより、ブリッジ機器２は、アドレスとしてグループ識別ＩＤ“２”と機器ＩＤ“２”を取得する。
【００９５】
そして、ブリッジ機器２は、ＨＤＭＩ接続されているテレビ２に対して、無線ソース機器（再生機器）が無線接続されていることを宣言するために、再生機器の論理アドレス“４”をＣＥＣメッセージ<Polling Message>により送信する（Ｓ８７）。これに対して、Ａｃｋが無ければ、そのまま確定する。
【００９６】
次に、ブリッジ機器２は、グループとなるオーディオ機器にスタンバイ状態からの復帰要求（電源オン要求）を送信する（Ｓ８８）。この場合、ブリッジ機器２は、予めオーディオ２のＭＡＣ（Media Access Control）アドレスを記憶しており、このオーディオ機器が同じグループであることを認識しているものとする。オーディオ２は、ブリッジ機器２からの復帰要求に応じて、電源をオンすると（Ｓ８９）、無線ソース機器の存在を検知する（Ｓ９０）。そして、オーディオ２は、その機器情報を無線ソース機器に送信する（Ｓ９１）。
【００９７】
次に、オーディオ２は、アドレス割り当てを要求する無線制御コマンドを無線ソース機器に送信し（Ｓ９２）、無線ソース機器は、アドレスを通知するための無線制御コマンドをブロードキャスト送信する（Ｓ９３）。これにより、オーディオ２は、アドレスとしてグループ識別ＩＤ“０（デフォルト）”と機器ＩＤ“３”を取得する。そして、ブリッジ機器２は、グループ識別ＩＤ“２”の設定を要求する無線制御コマンドをオーディオ２に送信し（Ｓ９４）、オーディオ２は、この要求に応じてグループ識別ＩＤ“２”を設定すると、グループＩＤ設定通知をブロードキャスト送信する（Ｓ９５）。
【００９８】
すなわち、無線ソース機器が、ブリッジ機器１，２の電源がオンされたときに、ブリッジ機器１，２にグループ識別ＩＤを割り当て（Ｓ７９，Ｓ８６）、ブリッジ機器２が、オーディオ２に固有の機器識別情報（ＭＡＣアドレスなど）に基づいてオーディオ２をグループ化し、グループ化したオーディオ２にグループ識別ＩＤを割り当てる（Ｓ９４）。この処理により無線機器ＩＤ／グループ識別ＩＤテーブル７ｃが生成される。なお、ブリッジ機器１，２にＨＤＭＩ接続される有線シンク機器については、ＨＤＭＩ規格における所定の処理に基づいて論理アドレス及び物理アドレスが決定され、ＨＤＭＩ機器テーブル７ｄ，７ｅが生成される。
【００９９】
このように、図１１で説明したシーケンスにより、前述の図１０に示した各テーブル７ｃ〜７ｅが生成される。
【０１００】
図１２は、本発明の第２の実施形態に係る無線伝送システムにおける通信手順の一例を示す図である。以下で説明する手順は、前述の図１０に示した無線伝送システムにおいて、ＨＤＭＩ機器ＩＤテーブル７ｄ，７ｅ，無線機器ＩＤ／グループ識別ＩＤテーブル７ｃに基づいて実行される。なお、グループＡでの通信手順は、ＨＤＭＩ接続の手順そのものであるため、ここでの説明は省略する。
【０１０１】
手順（２１）は、無線機器宛に無線制御コマンド（レスポンスなし）を送信する場合の手順であり、ブリッジ機器２がオーディオ２に音量操作を行う例について示したものである。ブリッジ機器２は、音量を制御するための無線制御コマンド<User Control Pressed>[Volume Up]を、宛先として機器ＩＤ“３”（Ｄｅｖ３）を指定して送信する（Ｓ１０１）。機器ＩＤ“３”に対応するオーディオ２は、この無線制御コマンドに応じて音量制御を行う。ここではレスポンスなしであるため、オーディオ２はレスポンスを返信しない。
【０１０２】
手順（２２）は、無線機器宛に無線制御コマンド（レスポンス有り）を送信する場合の手順であり、ブリッジ機器２がオーディオ２に状態問い合わせを行う例について示したものである。ブリッジ機器２は、状態を問い合わせるための無線制御コマンド<Give Audio Status>を、宛先として機器ＩＤ“３”（Ｄｅｖ３）を指定して送信する（Ｓ１０２）。機器ＩＤ“３”に対応するオーディオ２は、この無線制御コマンドに応じて、レスポンスとして、自身の状態を示す無線制御コマンド<Report Audio Status>[Mute ON]を、宛先に機器ＩＤ“２”（Ｄｅｖ２）を指定して返信する（Ｓ１０３）。ここではレスポンス有りであるため、オーディオ２はレスポンスを返信する。
【０１０３】
手順（２３）は、グループ内の無線機器宛に無線制御コマンド（レスポンスなし）を送信する場合の手順であり、ブリッジ機器２が同じグループのテレビ２，オーディオ２にスタンバイ要求を行う例について示したものである。ブリッジ機器２は、スタンバイ要求するための無線制御コマンド<Standby>を、宛先としてグループ識別ＩＤ“２”（Ｇｒ２）を指定して送信する（Ｓ１０４）。また、ブリッジ機器２は、ＨＤＭＩ接続されたテレビ２にＣＥＣメッセージ<Standby>を、宛先として論理アドレス“０”を指定して送信する（Ｓ１０５）。オーディオ２，テレビ２は、無線制御コマンド，ＣＥＣメッセージに応じてスタンバイ状態に移行する。ここではレスポンスなしであるため、テレビ２，オーディオ２はレスポンスを返信しない。
【０１０４】
手順（２４）は、グループ内の無線機器宛に無線制御コマンド（レスポンス有り）を送信する場合の手順であり、ブリッジ機器２が同じグループのテレビ２，オーディオ２に電源状態の問い合わせを行う例について示したものである。ブリッジ機器２は、電源状態を問い合わせるための無線制御コマンド<Give Device Power Status>を、宛先としてグループ識別ＩＤ“２”（Ｇｒ２）を指定して送信する（Ｓ１０６）。また、ブリッジ機器２は、ＨＤＭＩ接続されたテレビ２に対して、ＣＥＣメッセージ<Give Device Power Status>を、宛先として論理アドレス“０”を指定して送信する（Ｓ１０７）。
【０１０５】
グループ識別ＩＤ“２”に対応するオーディオ２は、上記無線制御コマンドに応じて、レスポンスとして、自身の電源状態を示す無線制御コマンド<Report Power Status>[ON]を、宛先に機器ＩＤ“２”（Ｄｅｖ２）を指定して返信する（Ｓ１０８）。また、テレビ２は、上記ＣＥＣメッセージに応じて、レスポンスとして、自身の電源状態を示す無線制御コマンド<Report Power Status>[OFF]を、宛先として論理アドレス“４”を指定して返信する（Ｓ１０９）。ここではレスポンス有りであるため、テレビ２，オーディオ２はレスポンスを返信する。
【０１０６】
手順（２５）は、グループ内の機器宛に制御コマンド（レスポンスなし）を送信する場合の手順であり、無線ソース機器がグループＢ（グループ識別ＩＤ“２”）のテレビ２，オーディオ２にスタンバイ要求を行う例について示したものである。無線ソース機器は、スタンバイ要求するための無線制御コマンド<Standby>を、宛先としてグループ識別ＩＤ“２”（Ｇｒ２）を指定して送信する（Ｓ１１０）。本例では、グループ外からの無線制御コマンドは、代表無線シンク機器であるブリッジ機器２のみが受け取る。ブリッジ機器２は、無線ソース機器から受け取った無線制御コマンド<Standby>を、宛先としてグループ識別ＩＤ“２”（Ｇｒ２）を指定して転送する（Ｓ１１１）。また、ブリッジ機器２は、ＨＤＭＩ接続されたテレビ２に対して、ＣＥＣメッセージ<Standby>を、宛先として論理アドレス“０”を指定して送信する（Ｓ１１２）。オーディオ２，テレビ２は、無線制御コマンド，ＣＥＣメッセージに応じてスタンバイ状態に移行する。ここではレスポンスなしであるため、グループＢに属するテレビ２、オーディオ２はレスポンスを返信しない。
【０１０７】
手順（２６）は、グループ内の無線機器宛に無線制御コマンド（レスポンス有り）を送信する場合の手順であり、無線ソース機器がグループＢ（グループ識別ＩＤ“２”）のテレビ２，オーディオ２に電源状態の問い合わせを行う例について示したものである。無線ソース機器は、電源状態を問い合わせるための無線制御コマンド<Give Device Power Status>を、宛先としてグループ識別ＩＤ“２”（Ｇｒ２）を指定して送信する（Ｓ１１３）。本例では、グループ外からの無線制御コマンドは、代表無線シンク機器であるブリッジ機器２のみが受け取る。
【０１０８】
ブリッジ機器２は、ＨＤＭＩ接続されたテレビ２に対して、ＣＥＣメッセージ<Give Device Power Status>を、宛先として論理アドレス“０”を指定して送信する（Ｓ１１４）。テレビ２は、上記ＣＥＣメッセージに応じて、レスポンスとして、自身の電源状態を示す無線制御コマンド<Report Power Status>[OFF]を、宛先として論理アドレス“４”を指定して返信する（Ｓ１１５）。また、ブリッジ機器２は、無線ソース機器から受け取った無線制御コマンド<Give Device Power Status>を、宛先として機器ＩＤ“３”（Ｄｅｖ３）を指定して転送する（Ｓ１１６）。機器ＩＤ“３”に対応するオーディオ２は、この無線制御コマンドに応じて、レスポンスとして、自身の電源状態を示す無線制御コマンド<Report Power Status>[OFF]を、宛先に機器ＩＤ“２”（Ｄｅｖ２）を指定して返信する（Ｓ１１７）。ここではレスポンス有りであるため、テレビ２，オーディオ２はレスポンスを返信する。
【０１０９】
そして、このＨＤＭＩ接続の論理アドレス“４”、無線接続の機器ＩＤ“２”に対応するブリッジ機器２は、テレビ２，オーディオ２から受信した複数のレスポンスを前述のレスポンス返信ルールに基づいて１つのレスポンスに一括し、これを機器ＩＤ“０”（Ｄｅｖ０）を指定して返信する（Ｓ１１８）。機器ＩＤ“０”に対応する無線ソース機器は、このレスポンスを受信する。
【０１１０】
図１３は、本発明の第２の実施形態に係る無線伝送システムにおける通信手順の他の例を示す図である。以下で説明する手順は、前述の図１０に示した無線伝送システムにおいて、ＨＤＭＩ機器ＩＤテーブル７ｄ，７ｅ，無線機器ＩＤ／グループ識別ＩＤテーブル７ｃに基づいて実行される。
【０１１１】
手順（２７）は、無線ソース機器から無線制御コマンド（レスポンスなし）をブロードキャスト送信する場合の手順であり、無線ソース機器がグループＡ，Ｂの機器にスタンバイ要求を行う例について示したものである。無線ソース機器は、スタンバイ要求するための無線制御コマンド<Standby>を、宛先を指定せずにブロードキャスト送信する（Ｓ１２１）。本例では、ブロードキャスト送信された無線制御コマンド<Standby>は、グループＡ，Ｂの代表無線シンク機器であるブリッジ機器１，２のみが受け取る。
【０１１２】
グループＡにおいて、ブリッジ機器１は、この無線制御コマンドをＣＥＣメッセージに変換し、変換したＣＥＣメッセージ<Standby>を、宛先を指定せずにブロードキャスト送信する（Ｓ１２２）。グループＢにおいて、ブリッジ機器２は、この無線制御コマンド<Standby>を、宛先としてグループ識別ＩＤ“２”（Ｇｒ２）を指定して転送する（Ｓ１２３）。また、ブリッジ機器２は、この無線制御コマンドをＣＥＣメッセージに変換し、変換したＣＥＣメッセージ<Standby>を、宛先を指定せずにブロードキャスト送信する（Ｓ１２４）。
【０１１３】
グループＡ，Ｂの各機器は、無線ソース機器からブロードキャスト送信された無線制御コマンドに応じてスタンバイ状態に移行する。この無線制御コマンドはレスポンスなしであるため、グループＡ，Ｂに属する機器はレスポンスを返さない。
【０１１４】
手順（２８）は、無線ソース機器から無線制御コマンド（レスポンス有り）を送信する場合の手順であり、無線ソース機器がグループＡ，Ｂの機器に電源状態の問い合わせを行う例について示したものである。無線ソース機器は、電源状態の問い合わせを行うための無線制御コマンド<Give Device Power Status>を、宛先を指定せずにブロードキャスト送信する（Ｓ１２５）。本例では、ブロードキャスト送信された無線制御コマンド<Give Device Power Status>は、グループＡ，Ｂの代表無線シンク機器であるブリッジ機器１，２のみが受け取る。
【０１１５】
ブリッジ機器１は、この無線制御コマンドをＣＥＣメッセージに変換し、変換したＣＥＣメッセージ<Give Device Power Status>を、宛先として論理アドレス“０”を指定して送信する（Ｓ１２６）。この論理アドレスに対応するテレビ１は、レスポンスとして、自身の電源状態を示す無線制御コマンド<Report Power Status>[ON]を、宛先として論理アドレス“４”を指定して返信する（Ｓ１２７）。同様に、ブリッジ機器１は、ＣＥＣメッセージ<Give Device Power Status>を、宛先として論理アドレス“５”を指定して送信する（Ｓ１２８）。この論理アドレスに対応するオーディオ１は、レスポンスとして、自身の電源状態を示す無線制御コマンド<Report Power Status>[ON]を、宛先として論理アドレス“４”を指定して返信する（Ｓ１２９）。
【０１１６】
そして、上記論理アドレスに対応するブリッジ機器１は、テレビ１，オーディオ１から受信した複数のレスポンスを前述のレスポンス返信ルールに基づいて１つのレスポンスに一括し、これを機器ＩＤ“０”（Ｄｅｖ０）を指定して返信する（Ｓ１３０）。機器ＩＤ“０”に対応する無線ソース機器は、このレスポンスを受信する。
【０１１７】
また、ブリッジ機器２は、無線ソース機器からの無線制御コマンドをＣＥＣメッセージに変換し、変換したＣＥＣメッセージ<Give Device Power Status>を、宛先として論理アドレス“０”を指定して送信する（Ｓ１３１）。この論理アドレスに対応するテレビ２は、レスポンスとして、自身の電源状態を示す無線制御コマンド<Report Power Status>[ON]を、宛先として論理アドレス“４”を指定して返信する（Ｓ１３２）。また、ブリッジ機器２は、無線制御コマンド<Give Device Power Status>を、宛先として機器ＩＤ“３”（Ｄｅｖ３）を指定して送信する（Ｓ１３３）。この機器ＩＤ“３”に対応するオーディオ２は、レスポンスとして、自身の電源状態を示す無線制御コマンド<Report Power Status>[OFF]を、宛先として機器ＩＤ“２”（Ｄｅｖ２）を指定して返信する（Ｓ１３４）。
【０１１８】
そして、ブリッジ機器２は、テレビ２，オーディオ２から受信した複数のレスポンスを前述のレスポンス返信ルールに基づいて１つのレスポンスに一括し、これを機器ＩＤ“０”（Ｄｅｖ０）を指定して返信する（Ｓ１３５）。機器ＩＤ“０”に対応する無線ソース機器は、このレスポンスを受信する。なお、Ｓ１３０、Ｓ１３５において、前述のレスポンス返信ルールに基づいて、接続されたシンク機器に１台以上「ON」の機器があれば、レスポンスとして「ON」を返信し、それ以外は「OFF」が返信される。
【０１１９】
手順（２９）は、グループのＨＤＭＩ機器から無線ソース機器へＣＥＣメッセージ（レスポンスなし）を送信する場合の手順であり、テレビ２から無線ソース機器へリモコン信号を送信する例について示したものである。テレビ２は、リモコン信号のＣＥＣメッセージ<User Control Pressed>[DOWN]を、宛先として論理アドレス“４”を指定して送信する（Ｓ１３６）。この論理アドレスに対応するブリッジ機器２は、テレビ２からのＣＥＣメッセージ<User Control Pressed>[DOWN]を無線制御コマンドに変換し、変換した無線制御コマンド<User Control Pressed>[DOWN]を、宛先として機器ＩＤ“０”を指定して送信する（Ｓ１３７）。この機器ＩＤ“０”に対応する無線ソース機器は、ブリッジ機器２からの無線制御コマンドを受信する。
【０１２０】
手順（３０）は、グループのＨＤＭＩ機器から無線ソース機器へＣＥＣメッセージ（レスポンス有り）を送信する場合の手順であり、テレビ２から無線ソース機器へ再生要求を送信する例について示したものである。テレビ２は、再生要求信号のＣＥＣメッセージ<Play>[FORWARD]を、宛先として論理アドレス“４”を指定して送信する（Ｓ１３８）。この論理アドレスに対応するブリッジ機器２は、テレビ２からのＣＥＣメッセージ<Play>[FORWARD]を無線制御コマンドに変換し、変換した無線制御コマンド<Play>[FORWARD]を、宛先として機器ＩＤ“０”を指定して送信する（Ｓ１３９）。
【０１２１】
この機器ＩＤ“０”に対応する無線ソース機器は、ブリッジ機器２からの無線制御コマンドに対して、レスポンスとして、無線制御コマンド<Deck Status>[PLAY]を、宛先として機器ＩＤ“２”を指定して送信する（Ｓ１４０）。この機器ＩＤ“２”に対応するブリッジ機器２は、この無線制御コマンドをＣＥＣメッセージに変換し、変換したＣＥＣメッセージ<Deck Status>[PLAY]を、宛先として論理アドレス“０”を指定して転送する（Ｓ１４１）。この論理アドレスに対応するテレビ２はこのレスポンスを受信する。
【０１２２】
このように本発明によれば、無線ＡＶ伝送において、複数のシンク機器をグループにして連動して動作させることができ、また、グループに対する制御コマンドの送信により、各々の機器に別個に制御コマンドを送る必要がなくなるため、制御コマンドの伝送量を減少させ、各機器での制御コマンドの到着タイミングを一致させることができる。
また、有線と無線の異なる伝送方式であっても、ブリッジ機器（中継機器）に、有線及び無線に対応したＩＤテーブルを備えることによって、互いの制御コマンドを変換することができる。例えば、ＨＤＭＩ機器からであっても、無線機器を違和感なく、動作させることができる。
また、複数のシンク機器（テレビ及び１つ以上のスピーカ）が接続されたシステムであっても、従来のシンク機器が１つの場合のシステムと同様に、各シンク機器の制御が可能となる。
【符号の説明】
【０１２３】
１…中継機器（ブリッジ機器）、２…有線（ＨＤＭＩ）ソース機器、３…無線ソース機器、４…有線（ＨＤＭＩ）シンク機器、５…無線シンク機器、６…オーディオ機器、７ａ，７ｄ，７ｅ，１７，２６，４６…ＨＤＭＩ機器ＩＤテーブル、７ｂ，７ｃ，１８，５６…無線機器ＩＤ／グループ識別ＩＤテーブル、８…伝送パケット、１１，２３，４１…有線接続部、１２，２２，３２，４２，５２…制御部、１３，３３，５１…無線接続部、１４，２４，４４…ＨＤＭＩ ＣＥＣドライバ、１５，３４，５４…無線機器制御ドライバ、１６，２５，３５，４５，５５…機器制御マネージャ、２１，３１…ＢＤ部、２７，３７，４７，５７…操作部、４３，５３…表示部。
【図１】
2010259119.tif 000003
【図２】
2010259119.tif 000004
【図３】
2010259119.tif 000005
【図４】
2010259119.tif 000006
【図５】
2010259119.tif 000007
【図６】
2010259119.tif 000008
【図７】
2010259119.tif 000009
【図８】
2010259119.tif 000010
【図９】
2010259119.tif 000011
【図１０】
2010259119.tif 000012
【図１１】
2010259119.tif 000013
【図１２】
2010259119.tif 000014
【図１３】
2010259119.tif 000015